(57)【要約】リアホルダ１に設けられた錠止アーム４の先端部７は、ハウジング本体２１の孔部２５に挿入され、錠止アーム４は橋絡状に両端で支持されている。ハウジング本体２１が相手側ハウジング４１のフード部４４内に入り込み、接続端子３２、４２同士が嵌合し電気的な接続がなされる。錠止アーム４上に設けられた錠止爪５は、一旦下方に撓んでから相手側ハウジング４１の錠止爪４３の下を潜り抜けた後に復元して、錠止爪４３に係止し錠止がなされる。この錠止により、ハウジング本体２１と相手側ハウジング４１は不時に解離することがなくなる。
2004114471.tif 000002
【特許請求の範囲】
【請求項１】
相手側ハウジングと嵌合して、それぞれに収容した接続端子同士を結合する電気コネクタにおいて、ハウジング本体の後部に前記接続端子の後方への抜け止めを行うためのリアホルダを取り付け、該リアホルダには前記相手側ハウジング側の錠止部と錠止するための弾発性を有する錠止アームの自由端を前方に向けて突出し、前記自由端を前記ハウジング本体の一部に挿し込み、前記錠止アームの中間部に前記相手側ハウジングの錠止部に錠止する錠止爪を付設したことを特徴とする電気コネクタ。
【請求項２】
前記リアホルダによる前記接続端子の後方への抜け止めは、前記リアホルダに設けた係止ランスにより行う請求項１に記載の電気コネクタ。
【請求項３】
前記自由端の前記ハウジング本体への係止は、前記自由端を前記ハウジング本体の孔部に固定するようにした請求項１に記載の電気コネクタ。
【請求項４】
前記相手側ハウジングとの錠止の解除は、前記ハウジング本体に設けた錠止解除押圧部を押し、該錠止解除押圧部の降下により前記錠止アームの後部を押して前記錠止アームを変形し、前記錠止爪を下降させることにより行う請求項１に記載の電気コネクタ。
【請求項５】
前記錠止爪と前記相手側ハウジングの錠止部の嵌合時に、前記リアホルダを強く押し込むことによる感触により前記嵌合を確認する請求項１に記載の電気コネクタ。
【請求項６】
前記錠止爪と前記相手側ハウジングの錠止部の嵌合時に、前記錠止アームが一旦下降し、錠止時に復元して前記錠止アームの後部に形成した突起部が前記ハウジング本体の錠止解除押圧部を打接してクリック音を発することにより前記嵌合を確認する請求項１に記載の電気コネクタ。
【発明の詳細な説明】
【技術分野】
【０００１】  本発明は、接続端子をそれぞれ収容した一対のハウジング同士を結合及び解除して使用する電気コネクタに関するものである。
【背景技術】
【０００２】  ハウジングに接続端子を収容し、この接続端子をハウジング内に固定するには、ハウジング内に設けた係止ランスにより行う場合が一般的である。この係止を更に確実にするために、ハウジングの後部にリアホルダを挿入し、このリアホルダにより接続端子の後抜けを防止することも多い。そして、係止ランスをリアホルダに設ける場合もある。【０００３】  一般に、接続端子を収容したハウジングの嵌合に際するハウジング同士の錠止は、ハウジング本体同士に設けた錠止機構により行っている。通常では、リアホルダはこの錠止について何ら関与することがないので、リアホルダについての固定は必ずしも十分ではない。また、ハウジング本体に相手側ハウジングと錠止するための錠止アームを設けると、ハウジングが嵩ばり、その高さが大きくなるなどの問題点もある。【０００４】  このような観点から、本出願人は既に特願２００２−５７６３８号、特願２００３−３９９５号において、リアホルダに錠止アームを形成して、この錠止アームを用いて相手側ハウジングと錠止する構成を提案している。これにより、リアホルダを取り付けたハウジングは、リアホルダと相手側ハウジングにより挟まれることになり、全体として不時に分離する虞れが少なくなる。
【発明の開示】
【発明が解決しようとする課題】
【０００５】  しかし、この場合に相手側ハウジングと嵌合する以前のハウジング本体に、リアホルダを取り付けた状態においては、錠止アームがハウジングから片持ち梁状に前方に突出しているために、この錠止アームに電線が絡みついたり、錠止アームが折れ曲がるなどの不具合がある。【０００６】  本発明の目的は、上述の課題を解決し、リアホルダに設けた錠止アームをハウジング本体との間に橋絡状に配置し、この錠止アームを用いて相手側ハウジングと錠止することにより、ハウジング同士を連結する電気コネクタを提供することにある。
【課題を解決するための手段】
【０００７】  上述の目的を達成するための本発明に係る電気コネクタは、相手側ハウジングと嵌合して、それぞれに収容した接続端子同士を結合する電気コネクタにおいて、ハウジング本体の後部に前記接続端子の後方への抜け止めを行うためのリアホルダを取り付け、該リアホルダには前記相手側ハウジング側の錠止部と錠止するための弾発性を有する錠止アームの自由端を前方に向けて突出し、前記自由端を前記ハウジング本体の一部に挿し込み、前記錠止アームの中間部に前記相手側ハウジングの錠止部に錠止する錠止爪を付設したことを特徴とする。
【発明の効果】
【０００８】  本発明に係る電気コネクタによれば、リアホルダの錠止アームの自由端をハウジング本体の一部に挿し込み、その中間部に設けた錠止爪を用いて相手側ハウジングと錠止するので、錠止アームの自由端が空中に突出することもなく、この錠止機構を解除しない限り、ハウジング同士が解離しないことは勿論のこと、不時にリアホルダがハウジング本体から外れる虞れもなく、錠止がより確実となる。
【図面の簡単な説明】
【０００９】［図１］図１はリアホルダの斜視図である。
［図２］図２は断面図である。
［図３］図３はハウジング本体の斜視図である。
［図４］図４は断面図である。
［図５］図５はリアホルダをハウジングに仮係止した状態の一部を切欠した斜視図である。
［図６］図６は断面図である。
［図７］図７は電線を接続した接続端子の斜視図である。
［図８］図８は仮係止状態において接続端子を収容した状態の断面図である。
［図９］図９はリアホルダをハウジングに本係止した状態の斜視図である。
［図１０］図１０は断面図である。
［図１１］図１１は相手側ハウジングとの嵌合状態の断面図である。
［図１２］図１２は他の実施の形態のリアホルダの斜視図である。
［図１３］図１３は相手側ハウジングとの嵌合状態の断面図である。
［図１４］図１４は相手側ハウジングとの嵌合時の断面図である。
【符号の説明】
【００１０】  １  リアホルダ
２  リアホルダ本体
３  係止ランス
４  錠止アーム
５  錠止爪
６、６’  突起部
７  先端部
２１  ハウジング本体
２２  端子収容孔
２４  開口部
２５  孔部
２８  錠止解除押圧部
３２、４２  接続端子
４１  相手側ハウジング
【発明を実施するための最良の形態】
【００１１】  図１はリアホルダ１の斜視図、図２は断面図を示し、枠体状のリアホルダ本体２の上下の端部には、ハウジング本体の端子収容孔内にそれぞれ挿入され、接続端子を係止するための弾発性を持ち先端に爪部３ａを有する係止ランス３が上下対称に各段１６列に設けられている。【００１２】  また、リアホルダ本体２の中央上部には、弾発性を有し、後部をリアホルダ本体２に固定し、上方に稍々弯曲した２本の錠止アーム４が前方に向けて突設され、その中間部の側方には相手側ハウジングに対して錠止するための錠止爪５が形成されており、錠止アーム４の上側の中間部から後端部にかけてリブ状の突起部６が設けられている。また、錠止アーム４の先端部７はハウジング本体の一部に嵌入するようにされ、先端部７の下側には突起８が形成されている。【００１３】  更に、リアホルダ本体２の両側には、ハウジング本体と本係止をするための係止爪９が設けられ、上下部には仮係止のための計４個の仮係止爪１０が設けられている。【００１４】  図３はハウジング本体２１の斜視図、図４は断面図を示し、ハウジング本体２１内には、リアホルダ１の係止ランス３に対応した上下２段、各段１６列に端子収容孔２２が設けられ、端子収容孔２２の前壁２３には相手側の接続端子の平刃状接続端が挿入され前方に突出する開口部２４が設けられている。ハウジング本体２１の上面の先端には、リアホルダ１の錠止アーム４の先端部７を収容する孔部２５が設けられ、その入口部には錠止アーム４の突起８と対応する突起２６が形成されている。【００１５】  また、ハウジング本体２１のリアホルダ入口部側には、錠止アーム４の突起部６を押し、後述する錠止を解除するために下部に当接部２７を備えた錠止解除押圧部２８が弾発性を持って両側を支えられたブリッジ状に設けられている。更に、ハウジング本体２１の両側部には、リアホルダ１の係止爪９に対応して長孔２９が設けられ、仮係止爪１０に対応する図示しない仮係止溝が形成されている。【００１６】  図５はこのリアホルダ１をハウジング本体２１に仮係止した状態の一部を切欠した斜視図、図６は断面図であり、リアホルダ１はハウジング本体２１内に後方から挿入され、中間位置で仮係止されている。この仮係止状態において、リアホルダ１の仮係止爪１０はハウジング本体２１の仮係止溝に係止して姿勢は安定しており、リアホルダ１の各係止ランス３はハウジング本体２１の各端子収容孔２２の入口部に位置し、錠止アーム４の先端部７は孔部２５に入口部に係合されている。【００１７】  ここで、端子収容孔２２内にリアホルダ本体２の枠体を通して、図７に示すように電線３１を接続した雌型接続端子３２を後方から挿入すると、接続端子３２の前端に位置し内部に可動接触片を有する接続部３３が、図８の上段に示すように係止ランス３を押し上げて、更に進入し下段に示すように内部に挿入される。この状態で接続部３３の後端縁は、係止ランス３の爪部３ａにより係止されることになる。【００１８】  図９は本係止状態の斜視図、図１０は断面図である。仮係止状態において、全ての接続端子３２を端子収容孔２２の入口部まで挿入した後に、リアホルダ１をハウジング本体２１に対して更に押し込んで本係止状態とす��と、接続端子３２の接続部３３の後端縁は、係止ランス３に押されて端子収容孔２２内の前端まで押し込まれ、前壁２３によって前抜けが防止される。【００１９】  また、錠止アーム４の先端部７は、ハウジング本体２１の孔部２５内に係合して、その浮き上りが防止されるが、突起８は突起２６と噛み合い、先端部７は強固に固定され、錠止アーム４は上方に向けて付勢力が発生する。この本係止状態に至る際に、錠止アーム４の先端部７は突起８、２６による衝合のために、リアホルダ１を強く押し込まなければならず、この感触によって本係止状態に至ったことを確認できる。【００２０】  図１１はハウジング本体２１が相手側ハウジング４１と嵌合した状態の断面図であり、相手側ハウジング４１には、雌型接続端子３２に入り込んで接続する雄型接続端子４２が装着され、リアホルダ１の錠止アーム４の錠止爪５と錠止するための錠止爪４３が設けられている。【００２１】  ハウジング本体２１は相手側ハウジング４１のフード部４４内に入り込み、接続端子３２、４２同士が嵌合し電気的な接続がなされる。ハウジング同士の嵌合に際して、錠止アーム４に設けられた錠止爪５は、一旦下方に撓んでから相手側ハウジング４１の錠止爪４３の下を潜り抜けた後に復元して、錠止爪４３に係止し錠止がなされる。この錠止により、ハウジング本体２１と相手側ハウジング４１は不時に解離することがなくなる。【００２２】  この錠止を解除する場合には、ハウジング本体２１に設けられた錠止解除押圧部２８を指で下方に押すことにより、その下部の当接部２７を介して、錠止アーム４の突起部６を押して錠止アーム４を沈み込ませることにより、錠止爪５と錠止爪４３との錠止が外れる。そこで、ハウジング本体２１を相手側ハウジング４１から引き離せばよい。【００２３】  図１２は他の実施の形態のリアホルダの斜視図であり、リアホルダ１の錠止アーム４の後方に設けた自由端には上方に向けて突出した１個の突起部６’が形成され、この突起部６’はリアホルダ１がハウジング本体２１に本係止した状態で、ハウジング本体２１の錠止解除押圧部２８の下面に接するようにされている。【００２４】  この実施の形態においては、図１３に示すように本係止状態で突起部６’の頂部は錠止解除押圧部２８の内側に直接に接しているので、先の実施の形態と同様に錠止解除押圧部２８を下方に押せば、突起部６’を介して錠止アーム４の錠止爪５は下方に下がるので、ハウジング同士の錠止を外すことができる。【００２５】  また、この実施の形態においては、ハウジング本体２１が相手側ハウジング４１と嵌合する際に、図１４に示すように錠止アーム４が撓んで錠止爪４３の下を潜り抜けるが、そのとき突起部６’の頂部は沈んで錠止解除押圧部２８から一旦離れる。嵌合が完了し錠止がなされると、錠止アーム４はその弾発性により上方に復元して、図１３に示すように突起部６’の頂部は錠止解除押圧部２８の内側を強く打接し、このとき「カチン」というクリック音が発生する。これにより、錠止がなされたことを確認することができる。【００２６】  なお、上述の実施の形態においては、ハウジング本体２１に取り付けたリアホルダ１の錠止アーム４により相手側ハウジング４１に対し錠止���ているが、相手側ハウジング４１に取り付けたリアホルダに対して錠止することによっても、錠止を行うことも可能である。【００２７】  このように本実施の形態では、ハウジング本体２１に取り付けたリアホルダ１に設けた錠止アーム４を介して、相手側ハウジング４１と錠止するので、錠止中にリアホルダ１が抜け落ちる虞れは全くない。また、ハウジング本体２１に錠止アームを直接に設けた場合よりもハウジングの嵩を小さくでき、ハウジング本体２１に収納した接続端子３２のがたを少なくすることができる。更には、リアホルダ１がハウジング本体２１に完全に装着されていないと、相手側ハウジング４１との錠止ができないために、リアホルダ１のハウジング本体２１に対する挿入不完全状態を検知することができる。【００２８】  なお、実施の形態においては、錠止アーム４を２本としたが、他の本数でもよく、例えば１本にした場合には、左右の対称性を考えて錠止爪５は錠止アーム４の直上に設けることが好ましい。
【図１】
2004114471.tif 000003
【図２】
2004114471.tif 000004
【図３】
2004114471.tif 000005
【図４】
2004114471.tif 000006
【図５】
2004114471.tif 000007
【図６】
2004114471.tif 000008
【図７】
2004114471.tif 000009
【図８】
2004114471.tif 000010
【図９】
2004114471.tif 000011
【図１０】
2004114471.tif 000012
【図１１】
2004114471.tif 000013
【図１２】
2004114471.tif 000014
【図１３】
2004114471.tif 000015
【図１４】
2004114471.tif 000016
【国際調査報告】
2004114471.tif 000017
2004114471.tif 000018
2004114471.tif 000019
2004114471.tif 000020